【事件の表示】
　平成１１年特許願第２５２８０７号「弾球遊技機」拒絶査定不服審判事件〔平成１３年３月２１日出願公開、特開２００１−７０５１７〕について、次のとおり審決する。
【結　論】
　本件審判の請求は、成り立たない。
【理　由】
第１　手続の経緯及び本願発明
　本願は、平成１１年９月７日に出願された特願平１１−２５２８０７号の特許出願であって、平成１５年６月１０日付の拒絶理由通知に対し、平成１５年８月７日付の意見書とともに同日付の手続補正書が提出されたところ、前記拒絶理由により平成１５年１０月１０日付で拒絶査定がなされ、これに対し、拒絶査定不服審判の請求が平成１５年１１月２０日になされるとともに、同日付で手続補正書が提出されたものである。
　したがって、当審の審理の対象とすべき本願発明は、平成１５年１１月２０日付の手続補正により補正された明細書の特許請求の範囲の請求項１ないし請求項４に記載された事項により特定されるものであるところ、そのうちの請求項１に係る発明（以下、「
本願発明１
「【請求項１】　枠（２）（３）と、該枠（２）（３）に着脱自在に取り付けられた遊技盤（４）と、主制御基板ケース（５２）内に収納され且つ主に前記遊技盤（４）側の遊技動作を制御する主制御基板（５１）とを備え、
　前記遊技盤（４）側で遊技動作を行い、
　該遊技盤（４）側の遊技動作に関連して前記主制御基板（５１）側で直接又は間接的に決まる遊技動作を前記枠（２）（３）側の機器が行う弾球遊技機において、
　前記主制御基板（５１）に、前記遊技盤（４）側の遊技動作に関連する情報と、前記枠（２）（３）側の機器の遊技動作に関連する情報とを外部に出力可能な外部出力回路（６４）を設け、
　該外部出力回路（６４）は、前記主制御基板（５１）の周縁部に配置され且つ前記主制御基板ケース（５２）の開口（７２）から外部に突出するコネクタ（７１）により構成された外部出力端子（６５）〜（６８）を有する
　ことを特徴とする弾球遊技機。」
　
第２　引用刊行物における記載事項
（１）原審における拒絶査定の理由に引用された、本願の特許出願前に頒布された刊行物である特開平６−２３３８６７号公報（以下、「
引用刊行物１
「【０００１】【産業上の利用分野】　本発明は、遊技機に係わり、詳しくは遊技媒体（例えば、パチンコ玉）を使用し、電源電圧の監視装置を備えた遊技機に関する。」
「【００４３】　次に、図４はパチンコ機１の裏機構の構成を示す図である。図４において、パチンコ機１の裏機構の主要なものとして、貯留タンク（上タンク）２０１、誘導路２０２、中継基盤（外部端子基盤）２０３、玉排出装置２０４、排出制御回路盤２０５、役物制御回路盤２０６、発射回路盤２０７、スピーカ２０８および裏機構盤の基枠体２１０がある。
　【００４４】　基枠体２１０は合成樹脂製の一体成型品から形成され、パチンコ機２の前面枠１１の裏側に固定された金属フレーム（図示略）に取り付けられている。そして、この基枠体２１０の上に各種のユニット部品、例えば貯留タンク２０１、誘導路２０２、中継基盤（外部端子基盤）２０３、玉排出装置２０４、排出制御回路盤２０５、役物制御回路盤２０６などが取り付けられており（例えば、ワンタッチの爪部材によって固定される）、これらの各種ユニット部品と基枠体２１０とを総称する概念として裏機構盤２２０と称している。
　【００４５】　貯留タンク２０１は排出される前の玉を予め貯留しておくもので、この貯留タンク２０１の玉数の不足は補給センサ（図示略）によって検出され、不足のときは島設備から玉が補給される。貯留タンク２０１内の玉は誘導路２０２により誘導され、玉排出装置２０４によって排出される。玉排出装置２０４は賞品球の排出を行うとともに、貸玉の排出も行う。なお、この誘導路２０２は特に限定されないが、短時間に多量の玉を排出できるように２条に形成されており、その途中には玉の重りを防止する玉ならし部材および待機玉検出器（何れも図示略）が設けられている。また、このような２条構成は玉排出装置２０４の内部についても同様である。
　【００４６】　中継基盤２０３はＡＣ電源の入力やホールの管理装置との間における信号の授受などについての中継を行うもので、本実施例では、例えばノーマル大当り図柄、ラッキー大当り図柄、スペシャルラッキー大当り図柄が発生した情報および連続大当り（連チャン遊技）の情報等を報知する信号の中継を行う報知用端子としても用いられる。また、中継基盤２０３には役物制御回路盤２０６へ供給するＡＣ電源の入／切を行うスイッチ２３０が設けられている。さらに、中継基盤２０３には異常電圧情報３４４をホールの管理装置に送信するための端子が設けられており、この異常電圧情報３４４は電圧降下検出装置３２４によって各種ランプおよびソレノイドの電源電圧が所定値よりも降下したことが検出された場合に、この異常状態を管理装置に知らせるためのものである。
　【００４７】　排出制御回路盤２０５は玉の排出に必要な各種制御を行うもので、賞品球の排出やカードリーダのカード読み取り情報に基づく貸玉の排出を行うべく、玉排出装置２０４の作動を制御する。なお、排出制御回路盤２０５と玉貸機３の内部に配置されたカード制御装置との間は配線２３１によって接続されている。役物制御回路盤２０６は遊技盤１３における役物の作動に必要な各種制御を行うものである。また、役物制御回路盤２０６には可変表示装置１０２の大当り確率、リーチ確率を変更、設定する確率設定装置の確率設定スイッチが内蔵されており、確率設定スイッチのスイッチ挿入口２０６ａは役物制御回路盤２０６の表面側に露出配置されている。確率設定スイッチは大当り確率のみを変更するものでもよい。」
「【００４９】　……。また、役物制御回路盤２０６の端部には確率設定表示ＬＥＤ２３２、２３３の他に各種のコネクタ２３４（他のコネクタは番号付けを省略）が配置されており、これらのコネクタ２３４によって役物制御回路盤２０６が他の回路盤等と接続される。」
「【００５０】　……。なお、制御回路盤とは、制御回路の基盤（すなわち、制御回路の機能を実現するボード）と、この基盤を収納している箱型に形成された金属製あるいは樹脂製のシャーシ箱とを一体として含む概念として用いている。」
「【００５１】　図４は玉寄せカバー（図示略）を取り外した状態を示しており、玉寄せカバーは玉寄せカバー本体２４０に着脱可能に装着されるものである。そして、玉寄せカバーは基枠体２１０の中央に大きく開口した中央開口部を塞ぐもので、この中央開口部は可変表示装置１０２の取り付けのための空間となっている。なお、玉寄せカバーの後方は膨出形成されており、排出制御回路盤２０５や役物制御回路盤２０６の後面に比べて大きく後方に突き出たような構造になっている。そして、玉寄せカバーによって中央開口部を塞ぐことにより、貯留タンク２０１などから落下した玉が遊技盤１３の裏面側に衝突しないようになっている。
　【００５２】　玉寄せカバー本体２４０に囲まれた内部には中継基盤２４１が設けられており、中継基盤２４１は遊技盤１３における各種電気部品（例えば、ランプ、ソレノイド、ＬＥＤ、モータ、センサ）と役物制御回路盤２０６を接続する配線の途中で一旦中継するものである。
　【００５３】　次に、図５はパチンコ装置１における制御系のブロック図である。図５において、この制御系は大きく分けると、パチンコ遊技等に必要な制御を行うＣＰＵ３０１と、制御プログラム等を格納しているＲＯＭ３０２と、ワークエリアの設定や制御に必要なデータの一時記憶等を行うＲＡＭ３０３と、必要なデータ等を記憶し、電源がオフしても記憶を継続させる不揮発性のＥＥＰＲＯＭ３０４と、ＣＰＵ３０１の基本クロックを得るために所定の周波数を発振する水晶３０５と、ＣＰＵ３０１等に必要な電源を供給する電源回路３０６と、各種情報信号を受け入れるローパスフィルタ３０７と、ローパスフィルタ３０７からの信号をバス３０８を介してＣＰＵ３０１に出力するバッファゲート３０９と、ＣＰＵ３０１からの信号をバス３０８を介して受ける出力ポート３１０と、出力ポート３１０を介して入力される制御信号をドライブして各種駆動信号を生成して各表示器等に出力するドライバ３１１と、遊技に必要な効果音を生成する（あるいは音声合成を行ってもよい）サウンドジェネレータ３１２と、サウンドジェネレータ３１２からの音声信号を増幅するアンプ３１３とによって構成される。
　【００５４】　ＣＰＵ３０１を含む上記各回路は、パチンコ機２の裏側の所定位置に配置したマイクロコンピュータを含む遊技盤制御装置
２０６
「【００６５】　また、ドライバ３１１からは大当り信号３４１、特図回動信号３４２、始動口入賞信号３４３、異常電圧情報３４４がホールの管理装置（図示略）に出力される。大当り信号３４１は大当りが発生したことを知らせるもので、特図回動信号３４２は可変表示装置１０２の図柄が回動中であることを知らせるものである。始動口入賞信号３４３は始動口１０３、１０５、１０６に入賞したことを知らせるもので、異常電圧情報３４４は電圧降下検出装置３２４によって各種ランプおよびソレノイドの電源電圧が所定値よりも降下したことが検出された場合に、この異常状態を管理装置に知らせるものである。
　【００６６】　ドライバ３１１は必要なデータを送信するデータ信号線３５１、必要な制御コードを送信する制御コード信号線３５２、必要なストローブ信号を送信するストローブ信号線３５３を介して表示制御回路３５４に接続されている。ストローブ信号は設定されたデータ信号の有効／無効を示すものである。表示制御回路３５４は可変表示装置（すなわち、映像表示装置）１０２の図柄表示を制御するもので、例えば特図表示器用ＣＰＵ、フォントＲＯＭ、Ｖ−ＲＡＭを含むＩＣ回路によって構成され、駆動信号を生成し、可変表示装置１０２を駆動する。さらに、ドライバ３１１からは送信クロック信号３６１および賞球データ信号３６２が排出制御回路に出力される。
　【００６７】　上記ＣＰＵ３０１、ＲＯＭ３０２、ＲＡＭ３０３、ＥＥＰＲＯＭ３０４は全体として遊技制御手段４０１を構成し、最小限処理指令手段および異常信号出力手段としての機能を実現する。」
　また、引用刊行物１の【図４】には、「他の回路盤等と接続させるための各種のコネクタ２３４が、役物制御回路盤２０６の端部に配置されているパチンコ装置の裏機構」が図示されている。
　
　そうしてみると、引用刊行物１の上記摘記事項及び図面の図示からみて、前記引用刊行物１には、次の発明（以下、「
引用発明
「パチンコ機１の裏機構が、
　ノーマル大当り図柄、ラッキー大当り図柄、スペシャルラッキー大当り図柄が発生した情報および連続大当りの情報等を報知する信号の中継を行うとともに異常電圧情報３４４をホールの管理装置に送信するための端子が設けられて異常状態を管理装置に知らせるなどの、ＡＣ電源の入力やホールの管理装置との間における信号の授受などについての中継を行う中継基盤（外部端子基盤）２０３と、
　賞品球及び貸玉の排出を行う玉排出装置２０４と、
　玉の排出に必要な各種制御を行うとともに前記玉排出装置２０４の作動を制御する排出制御回路盤２０５と、
　遊技盤１３における役物の作動に必要な各種制御を行う役物制御回路盤２０６と、
　裏機構盤２２０の基枠体２１０とから構成されており、
　各制御回路盤は、制御回路の基盤（すなわち、制御回路の機能を実現するボード）と、この基盤を収納している箱型に形成された金属製あるいは樹脂製のシャーシ箱とが一体となっており、
　前記役物制御回路盤２０６には可変表示装置１０２の大当り確率、リーチ確率を変更、設定する確率設定装置の確率設定スイッチが内蔵されていて、役物制御回路盤２０６の端部には確率設定表示ＬＥＤ２３２、２３３の他に他の回路盤等と接続させるための各種のコネクタ２３４を有し、
　ＣＰＵ３０１を含む前記各回路が有する遊技盤制御装置としてのボードユニットで玉貸機３、島設備、遊技店の管理装置等との間で制御信号やデータの授受が行われるパチンコ機１において、
　遊技制御手段４０１のパチンコ遊技等に必要な制御を行うＣＰＵ３０１からの信号をバス３０８を介して出力ポート３１０で受け、さらに前記出力ポート３１０を介して入力される制御信号をドライブして各種駆動信号を生成するドライバ３１１へ入力され、さらに前記ドライバ３１１から大当り信号３４１、特図回動信号３４２、始動口入賞信号３４３、異常電圧情報３４４がホールの管理装置に出力されるとともに、前記ドライバ３１１から送信クロック信号３６１および賞球データ信号３６２が排出制御回路に出力されるようにしたパチンコ機」
　
（２）本願の特許出願前に頒布された刊行物である特開平４−２１８１８６号公報（以下、「
周知技術文献１
「［発明の目的］（産業上の利用分野）本発明は、所定数の遊技球により１回のゲームを行う弾発遊技機（所謂アレパチ遊技機、以下単にアレパチ機と言うこともある）に関する。」（１頁右欄１〜５行）
「本体枠１の裏側には、ゲームの開始及び終了、遊技球の発射制御、有効発射球数の計算、入賞の表示、入賞得点の計算、景品球の払い出し等のゲーム全般にわたる諸動作を制御する電子制御装置２０、遊技者側に放出される景品球が足りなくなったことを検出する球切検出スイッチ２１、遊技者側に放出される景品球が樋に充満したことを検出する過量検出スイッチ２２、が各々組み付けられている。」（２頁右下欄１９行〜３頁左上欄７行）
「電子制御装置２０は、第４図に示すように、マイクロコンピューターとしてのＣＰＵ２０ａを中心として、該ＣＰＵ２０ａとＲＯＭ２０ｂ、ＲＡＭ２０ｃ、外部入力回路２０ｄ及び外部出力回路２０ｅをバス２０ｆにより相互に接続した論理演算回路として構成されている。この電子制御装置２０の外部入力回路２０ｄには、上述した発射球検出スイッチ２７、戻り球検出スイッチ２８、入球検出スイッチ１１ａ、球切検出スイッチ２１、過量検出スイッチ２２及びハンドルタッチスイッチ９ａ等が各々接続されている。また、外部出力回路２０ｅには、同じく上述した発射数表示器７、得点表示器１０及び過量表示器８等が各々接続されている。」（３頁左上欄１６行〜同頁右上欄９行）
「第５図に示す「打球数表示ルーチン」は、電子制御装置２０のＣＰＵ２０ａにより行われる種々の処理の内一回のゲーム中に発射される遊技球の数を発射数表示器７に表示するための処理を実行するためのものであり、ハード割り込み等の処理により定期的に実行される。」（３頁右上欄１１〜１６行）
「ステップＳ１６０では、上述した処理により演算された発射数Ｎが、第６図に示す発射数表示器７に外部出力回路
７
　
（３）本願の特許出願前に頒布された刊行物である特開平１０−３２８３９２号公報（以下、「
周知技術文献２
「【０００１】【発明の属する技術分野】　本発明は、たとえば、パチンコ遊技機やコイン遊技機あるいはスロットマシン等が設置された遊技場内での不正を監視するための遊技用装置に関する。」
「【００５１】　図９は、本発明に係る遊技用装置で監視を行なう全体監視システムを示すブロック図である。遊技機３４には、遊技制御基板１００と表示制御基板１２０と払出制御基板１３０とが設けられている。遊技機３４において遊技をせんとする遊技者は、まずＩＣカード発行手段（図示せず）に貨幣を投入して第１ＩＣカード３００Ａを発行してもらう。この発行された第１ＩＣカード３００Ａは、遊技者が投入した価値物体の一例の貨幣の投入金額からＩＣカードの保証金を差し引いた額に相当する有価価値が記録されている。」
「【００５４】　一方、遊技領域に打込まれた打玉が入賞すれば、その入賞情報が払出制御基板１３０から遊技制御基板１００に与えられ、遊技制御基板１００は、その入賞情報に相当する個数の賞球個数情報を払出制御基板１３０に与える。払出制御基板１３０は、その賞球個数情報に従った個数のパチンコ玉を景品玉として払出す制御を行なう。」
「【００６２】　Ａ遊技場１，Ｂ遊技場１ａ，…等の各遊技場内の構成は共通しており、その代表例をＡ遊技場１に基づいて説明する。Ａ遊技場１には、複数台の遊技機３４とそれに隣接して設けられたカードユニット３５とが遊技機設置島に設置されている。遊技機３４には、遊技制御用プログラムが記憶され、その遊技制御用プログラムに従って遊技機３４の遊技状態を制御するための遊技制御基板１００と、その遊技制御基板１００からの表示指令信号を受けて可変表示装置４を表示制御するための表示制御基板１２０と、カードユニット３５からの指令を受けて貸玉を払出しかつ打玉の入賞に基づいて景品玉を払出す制御を行なう払出制御基板１３０とが設けられている。」
「【００６４】　各遊技機３４に対し中継端末装置６００が外付けされている。……。」
「【００６５】　遊技制御基板１００は中継端末装置６００に対し設定情報，接続確認情報（往），１ｃｈｉｐセキュリティチェック情報，不正取外・開封情報，プログラムデータ（暗号プログラムデータ），始動記憶情報，有効始動情報，大当り情報，確変情報を出力する。中継端末装置６００は遊技制御基板１００に対し、接続確認情報（復），プログラム出力指令情報，動作停止指令情報を出力する。」
「【００７２】　中継端末装置６００は、これらの各情報を受けて、遊技関連情報を遊技場管理コンピュータ（ホール用管理コンピュータ）８００に送信するとともに、Ａ遊技場１内での不正を監視するために必要となる各種情報を中継装置７００へ送信する。中継装置７００は、その受取った情報を管理会社２の管理コンピュータ２ａに送信する。
　【００７３】　前述した遊技場管理コンピュータ８００は、遊技場で発生する各種遊技関連情報を集計して遊技場の経営管理に役立つ情報に加工編集するものであり、遊技場に設置されたホストコンピュータである。そして中継端末装置６００から遊技場管理コンピュータ８００に送信されてくる前記遊技関連情報は、たとえば、有効始動情報，大当り情報，確変情報，打込玉情報，補給玉情報，カードユニット３５からの引落情報の他に、ＩＣカードの販売状況を特定可能なカード販売情報，景品（特殊景品や一般景品）の景品交換情報，換金所での特殊景品の買取情報等が考えられる。……。」
「【００８７】　払出制御基板１３０から、コネクタ１０４Ｂを介して、遊技制御基板１００と払出制御基板１３０とが接続されている旨を表わす接続情報が接続情報入力回路２３１を通して基板監視回路２２５に入力され、かつ、入賞情報が入賞情報入力回路２１５を通して遊技制御マイクロコンピュータ２００に入力される。遊技領域３２（図１参照）に打込まれたパチンコ玉が入賞領域あるいは可変入賞球装置内に入賞すれば、その入賞情報が払出制御基板１３０から遊技制御マイクロコンピュータ２００に入力されるのであり、遊技制御マイクロコンピュータ２００では、その入力されてきた入賞情報に相当する賞球個数情報を割り出し、その割り出された賞球個数情報を賞球個数情報出力回路２１６，コネクタ１０４Ｂを介して払出制御基板１３０に与える。払出制御基板１３０では、その与えられた賞球個数情報に応じたクレジット数加算情報をカードユニット制御基板５３Ａを介してＩＣカードに記憶させる。」
「【００９４】　遊技制御マイクロコンピュータ２００は、情報出力回路２１９，コネクタ１０３Ｂ，１０３Ｄ，コネクタ１９６を介して、各種入出力情報、すなわち大当り情報，確率変動情報，有効始動入賞情報、設定情報、接続確認情報（往）、１ｃｈｉｐセキュリティチェック情報、始動記憶情報が中継端末装置６００へ出力され、接続確認情報（復）が中継端末装置６００から入力される。大当り情報とは、大当りが発生したことを表わす情報である。なお、大当りの発生したことばかりでなく、大当りが発生してからそれが終了するまでの時間情報等の大当りに関連する情報を出力してもよい。」
　
（４）本願の特許出願前に頒布された刊行物である特開平１０−２６３１８２号公報（以下、「
周知技術文献３
「【０００１】【発明の属する技術分野】　本発明は、たとえばパチンコ遊技機やコイン遊技機あるいはスロットマシン等で代表される遊技機、および、その遊技機が設置された遊技場内での不正を監視するための遊技用装置に関する。」
「【００４８】　各遊技機３４に対し中継端末装置１００が外付けされている。……。
　【００４９】　遊技制御手段５２は中継端末装置１００に対し接続確認情報，１ｃｈｉｐセキュリティチェック情報，始動記憶情報，有効始動情報，大当り情報，確変情報，設定情報を出力する。表示制御手段５３は中継端末装置１００に対し停止図柄情報を出力する。中継端末装置１００は遊技制御手段５２に対し接続確認情報を出力する。」
「【００５３】　中継端末装置１００は、これらの各情報を受けて、遊技関連情報を遊技場管理コンピュータ（ホール用管理コンピュータ）３００に送信するときに、Ａ遊技場１内での不正を監視するために必要となる各種情報を中継装置２００に送信する。中継装置２００は、その受取った情報を管理会社２の管理コンピュータ２ａに送信する。
　【００５４】　前述した遊技場管理コンピュータ３００は、遊技場で発生する各種遊技関連情報を集計して遊技場の経営管理に役立つ情報に加工編集するものであり、遊技場に設置されたホストコンピュータである。そして中継端末装置１００から遊技場管理コンピュータ３００に送信されてくる前記遊技関連情報は、たとえば、有効始動情報，大当り情報，確変情報，打込玉情報，補給玉情報，カードユニット３５からの引落情報の他に、プリペードカードの販売状況を特定可能なカード販売情報，景品（特殊景品や一般景品）の景品交換情報，換金所での特殊景品の買取情報等が考えられる。……。」
「【００６３】　図１０は、遊技制御手段５２の制御回路を示すブロック図である。制御回路は、基本回路５２０、入力回路５２１、情報出力回路５２２、初期リセット回路５２３、定期リセット回路５２４、電飾信号回路５２５、アドレスデコード回路５２６、ＬＥＤ回路５２７、ソレノイド回路５２８、賞球個数情報出力回路５２９、ランプ回路５３２、音声合成回路５３３、音量増幅回路５３４、接続確認情報入出力回路５３５、電源回路５３８を含む。
　【００６４】　基本回路５２０は、遊技制御用プログラムに従ってパチンコ遊技機の各種機器を制御する。基本回路５２０の内部には、遊技制御用プログラムなどを記憶しているＲＯＭと、その遊技制御用プログラムに従って制御動作を行なうためのＣＰＵと、ＣＰＵのワーク用メモリとして機能するＲＡＭと、Ｉ／Ｏポートと、クロック発生回路とが含まれている。
　【００６５】　入力回路５２１は、始動口１０，可変始動口装置１４に入賞した始動入賞玉の検出信号と、大入賞口の特定入賞領域（Ｖポケット）に入賞した入賞玉の検出信号と、可変入賞球装置１１の大入賞口に入賞した入賞玉の検出信号と、通過口１３を通過した通過玉の検出信号とが入力されて、それらの信号を基本回路５２０に出力するものである。ＬＥＤ回路５２７には、遊技領域等に設けられた各種表示用のＬＥＤが接続されており、基本回路５２０からの制御信号を受けてこれら各種ＬＥＤを点灯制御する。」
「【００７０】　賞球個数情報出力回路５２９は、打玉の入賞に伴って賞球が払出された場合に基本回路５２０から送られてくる賞球個数情報を受けて、所定個数の賞球の払出毎にパルス信号を外部出力するためのものである。」
　
（５）本願の特許出願前に頒布された刊行物である特開平１０−２６３１８３号公報（以下、「
周知技術文献４
　
（６）本願の特許出願前に頒布された刊行物である特開平１０−２４９０２２号公報（以下、「
周知技術文献５
「【０００１】【発明の属する技術分野】　本発明は、遊技機の制御基盤を収納する遊技機用基盤ボックス（以下単に基盤ボックスという。）に関する。
　【０００２】【従来の技術】　現在、パチンコ機やスロットマシーンなどの遊技機には、遊技機側に取り付くボックスベースと、そのボックスベースに被せるボックスカバーと、プリント基板上に電子部品や接続用のコネクターなどを取り付けた制御基盤と、から構成される基盤ボックスが設置されている。従来の基盤ボックスは、制御基盤のコネクターが外から触れない位置に設けられており、前記コネクターに中継ケーブルのコネクターを接続してその中継ケーブルをボックスカバーの側面から引き出すようにしていた。
　【０００３】【発明が解決しようとする課題】　通常、基盤ボックスは封印シールなどで封印処理されていてボックスカバーが外せない。一方、制御基盤のコネクターは前記のように基盤ボックス内にあるから、ボックスカバーを外さないと中継ケーブルのコネクターが抜き差しできない。そのため従来は、ボックスカバーを被せる前に中継ケーブルのコネクターを制御基盤のコネクターに接続し、以後中継ケーブルを接続したままの状態で基盤ボックスを遊技機に着脱するなどの作業を行っていたが、作業の際に複数の中継ケーブル同士が絡み合ったり、或いは、中継ケーブルが他の部品に引っ掛かって断線したりする、などの不具合が生じていた。
　【０００４】　本発明は、上記に鑑みなされたもので、その目的は、制御基盤のコネクターに対して中継ケーブルの着脱がいつでも自由に行えるようにすることにある。
　【０００５】【課題を解決するための手段】　上記の目的を達成するため本発明は、遊技機側に取り付くボックスベースと、そのボックスベースに被せるボックスカバーと、プリント基板に電子部品や接続用のコネクターなどを取り付けた制御基盤とを有する遊技機用基盤ボックスにおいて、前記ボックスカバーの一側にボックスベース側に下がった段部を形成し、その段部に前記コネクターと対応する位置であってコネクターの外形にほぼ合致する形状の挿通口を形成し、その挿通口を介して制御基盤のコネクターをボックスカバーの外部に突出させるようにした基盤ボックスを提供する。
　【０００６】　本発明の基盤ボックスは、制御基盤のコネクターがボックスカバーの外部に突出しているため、ボックスカバーを外さなくとも自由に中継ケーブルを着脱することができる。また、個々のコネクター形状に合わせた挿通口からコネクターを突出させるようにしたため、コネクター周りのプリント基板がボックスカバーの外部に露出することはない。」
　
第３　当審の判断
（１）対比及び一致点・相違点
　本願発明１と上記引用発明とを対比する。
　まず、引用発明における「基枠体２１０」、「遊技盤１３」、「賞品球及び貸玉の排出を行う玉排出装置２０４」、「パチンコ機１」のそれぞれが、本願発明１の「枠（２）（３）」、「遊技盤（４）」、「枠（２）（３）側の機器」、「弾球遊技機」にそれぞれ相当することは明らかである。
　また、引用発明における「遊技盤１３における役物の作動に必要な各種制御を行う役物制御回路盤２０６」は、種々の制御回路盤の一つであり、各制御回路盤は、制御回路の基盤（すなわち、制御回路の機能を実現するボード）と、この基盤を収納している箱型に形成された金属製あるいは樹脂製のシャーシ箱とが一体となっていることから、前記役物制御回路盤２０６は、役物制御回路の機能を実現するボードとしての役物制御回路の基盤（本願発明１の「基板」に相当する。）を有していることが明らかであるから、引用発明の「役物制御回路の基盤」が、本願発明１の「遊技盤（４）側の遊技動作を制御する主制御基板（５１）」に相当し、また、引用発明の「役物制御回路の基盤を収納している箱型に形成された金属製あるいは樹脂製のシャーシ箱」が、本願発明１の「主制御基板ケース（５２）」に相当する。
　そうすると、引用発明における「ノーマル大当り図柄、ラッキー大当り図柄、スペシャルラッキー大当り図柄が発生した情報および連続大当りの情報等の大当り信号３４１、特図回動信号３４２、始動口入賞信号３４３」、「賞球データ信号３６２」、「役物制御回路盤２０６の端部」、「玉貸機３、島設備、遊技店の管理装置等」及び「他の回路盤等と接続させるための各種のコネクタ２３４」のそれぞれが、本願発明１の「遊技盤（４）側の遊技動作に関連する情報」、「枠（２）（３）側の機器の遊技動作に関連する情報」、「主制御基板（５１）の周縁部」、「外部」及び「コネクタ（７１）により構成された外部出力端子（６５）〜（６８）」にそれぞれ相当するといえる。
　さらに、引用発明では、ホールの管理装置との間におけるノーマル大当り図柄、ラッキー大当り図柄、スペシャルラッキー大当り図柄が発生した情報および連続大当りの情報等を報知する信号、異常電圧情報３４４等の信号の授受を、中継基盤（外部端子基盤）２０３の中継を介して行っていることから、引用発明も、本願発明１の「外部出力回路（６４）」と同様の機能を有する「外部への出力用の回路」を具備していることは明らかである。
　してみれば、本願発明１と引用発明の両者は、
　「枠（２）（３）と、該枠（２）（３）に着脱自在に取り付けられた遊技盤（４）と、主制御基板ケース（５２）内に収納され且つ主に前記遊技盤（４）側の遊技動作を制御する主制御基板（５１）とを備え、
　前記遊技盤（４）側で遊技動作を行い、
　該遊技盤（４）側の遊技動作に関連して前記主制御基板（５１）側で直接又は間接的に決まる遊技動作を前記枠（２）（３）側の機器が行う弾球遊技機において、
　前記遊技盤（４）側の遊技動作に関連する情報と、前記枠（２）（３）側の機器の遊技動作に関連する情報とを外部に出力可能な外部出力回路（６４）を設け、
　該外部出力回路（６４）は、前記主制御基板（５１）の周縁部に配置され且つ前記主制御基板ケース（５２）から外部に突出するコネクタ（７１）により構成された外部出力端子（６５）〜（６８）を有する弾球遊技機」
である点で一致し、次の点で両者の構成が相違する。
　
相違点１
　
相違点２
　
相違点３
　
（２）相違点についての検討
ア　相違点１について
　上記周知技術文献１には、「ゲームの開始及び終了、遊技球の発射制御、有効発射球数の計算、入賞の表示、入賞得点の計算、景品球の払い出し等のゲーム全般にわたる諸動作を制御する電子制御装置２０は、マイクロコンピューターとしてのＣＰＵ２０ａを中心として、該ＣＰＵ２０ａとＲＯＭ２０ｂ、ＲＡＭ２０ｃ、外部入力回路２０ｄ及び外部出力回路２０ｅをバス２０ｆにより相互に接続した論理演算回路として構成されていて、前記電子制御装置２０の外部出力回路２０ｅには、発射数表示器７、得点表示器１０及び過量表示器８等が各々接続されており、電子制御装置２０のＣＰＵ２０ａにより行われる、一回のゲーム中に発射される遊技球の数を発射数表示器７に表示するための処理により演算された発射数Ｎを、発射数表示器７に外部出力回路２０ｅを介して出力する」技術が記載されている。
　そして、前記周知技術文献１における記載から、「外部に情報を出力するための外部出力回路２０ｅを、ゲーム全般にわたる諸動作を制御する電子制御装置２０に具備させる」技術は、本願特許出願時の周知技術であるといえる。
　してみれば、周知技術文献１に記載の前記周知技術を、引用発明の役物制御回路の基盤に適用することにより、本願発明１の相違点１に係る前記「外部出力回路（６４）が主制御基板（５１）に設けられている」構成を得ることは、当業者が格別の困難性を要することなく容易に想到できることである。
　
イ　相違点２について
　上記周知技術文献２には、
　「遊技制御基板１００の遊技制御マイクロコンピュータ２００が、払出制御基板１３０から入賞情報入力回路２１５を通して遊技制御マイクロコンピュータ２００に入力された入賞情報から賞球個数情報を割り出して、その賞球個数情報を賞球個数情報出力回路２１６、コネクタ１０４Ｂを介して払出制御基板１３０に与えるとともに、
　前記遊技制御マイクロコンピュータ２００が、情報出力回路２１９及びコネクタ１０３Ｂを介して、遊技機３４に対し外付けされている中継端末装置６００へ、大当り情報、確率変動情報、有効始動入賞情報、設定情報、接続確認情報（往）、１ｃｈｉｐセキュリティチェック情報、始動記憶情報等の各種入出力情報を出力するようにした遊技機３４の制御回路」
の発明が記載されている。
　また、上記周知技術文献３及び周知技術文献４には、
　「遊技制御用プログラムに従ってパチンコ遊技機の各種機器を制御する基本回路５２０と、各種入賞口に入賞した入賞玉の検出信号と通過玉の検出信号とが入力されて、それらの信号を基本回路５２０に出力する入力回路５２１と、情報出力回路５２２と、賞球個数情報出力回路５２９等の遊技制御手段５２の制御回路を有するパチンコ遊技機において、
　前記情報出力回路５２２から、遊技機３４に外付けされている中継端末装置１００に対し、接続確認情報、１ｃｈｉｐセキュリティチェック情報、始動記憶情報、有効始動情報、大当り情報、確変情報、設定情報を出力し、さらに前記中継端末装置１００から遊技関連情報が遊技場管理コンピュータ（ホール用管理コンピュータ）３００に出力されるようにするとともに、
　前記賞球個数情報出力回路５２９から、打玉の入賞に伴って賞球が払出された場合に基本回路５２０から送られてくる賞球個数情報を受けて、所定個数の賞球の払出毎にパルス信号を外部出力するようにしたパチンコ遊技機の制御回路」
の発明が記載されている。
　そうすると、周知技術文献２ないし周知技術文献４の上記記載から、「大当り情報等の遊技盤側の遊技動作情報と、賞球個数情報等の払出し制御装置側の遊技動作情報とを、遊技盤を制御する遊技制御基板の外部出力回路から、前記遊技制御基板の外部へ出力するようにした遊技機の遊技制御回路の外部出力回路」は、本願特許出願時の周知技術であるといえる。
　してみると、周知技術文献２ないし周知技術文献４に記載の前記周知技術を、引用発明に適用することにより、本願発明１の相違点２に係る前記「外部出力回路（６４）が遊技盤（４）側の遊技動作に関連する情報と、枠（２）（３）側の機器の遊技動作に関連する情報とを外部に出力可能」である構成とすることは、当業者が格別の困難性を要することなく容易に想到できることである。
　
ウ　相違点３について
　上記周知技術文献５には、中継ケーブルのコネクターを制御基盤のコネクターに接続する作業の際に複数の中継ケーブル同士が絡み合ったり、或いは、中継ケーブルが他の部品に引っ掛かって断線したりする、などの不具合を防止するために、遊技機側に取り付くボックスベースと、そのボックスベースに被せるボックスカバー（本願発明１の「主制御基板ケース（５２）」に相当する。）と、プリント基板に電子部品や接続用のコネクター（本願発明１の「外部出力端子（６５）〜（６８）」に相当する。）などを取り付けた制御基盤（本願発明１の「主制御基板（５１）」に相当する。）とを有する遊技機用基盤ボックスにおいて、前記ボックスカバーの一側（本願発明１の「主制御基板（５１）の周縁部」に相当する。）にボックスベース側に下がった段部を形成し、その段部に前記コネクターと対応する位置であってコネクターの外形にほぼ合致する形状の挿通口（本願発明１の「開口（７２）」に相当する。）を形成し、その挿通口を介して制御基盤のコネクターをボックスカバーの外部に突出させるようにする技術が記載されていて、前記技術は、本願特許出願時の周知技術である。
　そうしてみると、前記周知技術文献５に記載の前記周知技術を、引用発明の「役物制御回路の基盤を収納しているシャーシ箱」に適用することにより、本願発明１の相違点３に係る前記「主制御基板ケース（５２）が、コネクタ（７１）を外部に突出させる開口（７２）を有する」ような構成とすることは、当業者が格別の困難性を要することなく容易に想到できることである。
　
　そして、本願発明１の奏する作用効果は、引用発明及び周知技術から予測できる範囲内のものであって、格別のものということができない。
　
（３）まとめ
　したがって、本願発明１は、上記引用発明及び周知技術に基いて当業者が容易に発明をすることができたものである。
　
第４　むすび
　以上のとおりであり、請求項１に係る本願発明１は、上記引用発明及び周知技術に基いて当業者が容易に発明をすることができたものであり、本願発明１は特許法第２９条第２項の規定により特許を受けることができないから、他の請求項に係る発明について検討をするまでもなく、本願は、拒絶されるべきである。
　よって、結論のとおり審決する。